(57)【特許請求の範囲】
【請求項１】
コーディングパターンが設けられた第１コーディング要素（１２）を有するプラグコネクタ（１０）と、前記コーディングパターンに対して相補的なコーディングパターンが設けられた第２コーディング要素（５２）を有する挿入箇所（５０）とを備え、前記プラグコネクタ（１０）は、一つ以上の内部導体接点を含み、前記プラグコネクタ（１０）は、前記第１コーディング要素（１２）と前記第２コーディング要素（５２）とが互いに相対的な所定位置を取る場合に、挿入方向（Ｓ）に結合位置まで前記挿入箇所（５０）へ挿入され、前記第１コーディング要素（１２）は、前記挿入方向（Ｓ）に平行に延びる回転軸線（Ａ）を中心として前記プラグコネクタ（１０）に対して回転可能であるように前記プラグコネクタ（１０）に保持され、および／または、前記第２コーディング要素（５２）は、前記回転軸線（Ａ）を中心として前記挿入箇所（５０）に対して回転可能であるように前記挿入箇所（５０）に保持され、前記プラグコネクタ（１０）を挿嵌する時に、前記第１コーディング要素（１２）と前記第２コーディング要素（５２）とが前記互いに相対的な所定位置へ自動的に回転される自己整合機構を特徴とするプラグ接続。
【請求項２】
前記第１コーディング要素（１２）は、前記プラグコネクタの本体（１１）を囲繞するリング要素（１３）であり、前記第２コーディング要素（５２）は、前記リング要素の導入を許容するように前記挿入箇所（５０）に回転可能に保持されるスリーブ部分（５５）であり、または、前記第２コーディング要素は、前記挿入箇所に回転可能に保持されるリング要素であり、前記第１コーディング要素は、前記リング要素の導入を許容するように前記プラグコネクタの前記本体に回転可能に保持されるスリーブ部分であることを特徴とする、請求項１に記載のプラグ接続。
【請求項３】
前記第１コーディング要素の第１コーディングパターンおよび前記第２コーディング要素の第２コーディングパターンの一方は、好ましくは幾つかの径方向外向きに突出する突部（１４）の形であり、前記第１コーディングパターンおよび前記第２コーディングパターンの他方は、突部（１４）の係合のために各々が構成される好ましくは幾つかの案内溝（５４）の形であることを特徴とする、請求項１または２に記載のプラグ接続。
【請求項４】
前記第１コーディングパターンと前記第２コーディングパターンとは、多放射相称、二、三、または四放射相称を呈することを特徴とする、請求項３に記載のプラグ接続。
【請求項５】
前記第１コーディング要素（１２）は、周方向に所定角度で互いに間を開けた２個または３個以上の径方向に突出する突部（１４）を有するリング要素（１３）であり、前記第２コーディング要素（５２）は、スリーブ部分の内壁（５６）に形成されて周方向に前記所定角度で互いに間を開けた２個または３個以上の案内溝（５４）を有するスリーブ部分（５５）であることを特徴とする、請求項１から４の一つに記載のプラグ接続。
【請求項６】
少なくとも一つの案内溝（５４）の溝幅（Ｂ）は、少なくともある区分において前記挿入方向（Ｓ）に減少することを特徴とする、請求項５に記載のプラグ接続。
【請求項７】
少なくとも一つ、好ましくはすべての前記案内溝（５４）は、前記挿入方向（Ｓ）に狭くなる溝幅（Ｂ）を備える入口区分（６２）と、前記挿入方向に前記入口区分（６２）から続いて、少なくとも一つの関連する突部（１４）の突出幅に好ましくは適合する実質的に一定の溝幅を備える案内区分（６４）とを有することを特徴とする、請求項６に記載のプラグ接続。
【請求項８】
前記スリーブ部分（５５）にｎ個（ｎ＞１）の案内溝（５４）が形成され、前記案内溝は、隣接する案内溝（５４）の溝壁が前端（６６）で互いに直接隣接するように前端において、約３６０°／ｎの円周角範囲をカバーすることを特徴とする、請求項５から７の一つに記載のプラグ接続。
【請求項９】
前記第２コーディング要素（５２）は、周方向の方向成分と前記挿入方向（Ｓ）の方向成分とを備える接触面（６８）を有し、前記プラグコネクタ（１０）を挿嵌する際に、前記第１コーディング要素（１２）は、前記第１および前記第２コーディング要素の間の相対回転に付随し、前記接触面（６８）と接触して前記接触面に沿って摺動することを特徴とする、請求項１から８の一つに記載のプラグ接続。
【請求項１０】
前記挿入箇所（５０）は、ソケット部分（５３）に圧入するための圧入リング（５１）と、前記圧入リング（５１）に回転可能に装着されて前記プラグコネクタの方向にスリーブ形の状態で突出する前記第２コーディング要素（５２）とを有することを特徴とする、請求項１から９の一つに記載のプラグ接続。
【請求項１１】
前記プラグコネクタ（１０）は、内部導体接点（２２）と、前記第１コーディング要素（１２）が配置された外部境界面上に、少なくとも区分で、前記内部導体接点を囲繞する外部導体（２４）とを有する好ましくは遮蔽された高電流ケーブル（２０）に接続される高電流プラグコネクタであることを特徴とする、請求項１から１０の一つに記載のプラグ接続。
【請求項１２】
前記第１コーディング要素（１２）は、前記プラグコネクタ（１０）の一部として前記挿入箇所（５０）へ挿入される前記内部導体接点に対して回転可能であるように前記プラグコネクタ（１０）に保持されることを特徴とする、請求項１から１１の一つに記載のプラグ接続。
【請求項１３】
請求項１から１２の一つに記載の第１プラグ接続および第２プラグ接続を有するプラグ接続セットであって、前記第１プラグ接続の前記プラグコネクタが、前記第２プラグ接続の前記挿入箇所でなく前記第１プラグ接続の前記挿入箇所へ、前記結合位置まで挿嵌されるように、前記第１および前記第２プラグ接続の前記コーディングパターンと前記相補的なコーディングパターンとは、それぞれ互いに異なっている、プラグ接続セット。
【請求項１４】
請求項１から１２の一つに記載の３個以上のプラグ接続を特徴として、前記プラグ接続の前記プラグコネクタがそれぞれただ一つの関連する挿入箇所へ挿嵌される、請求項１３に記載のセット。
【発明の詳細な説明】
【技術分野】
【０００１】
本発明は、プラグコネクタと、プラグコネクタの挿入のための挿入箇所とから成るプラグ接続に関する。プラグコネクタに配置されているのは、コーディングパターンを有する第１コーディング要素であり、このコーディングパターンに対して相補的なコーディングパターンを有する第２コーディング要素が挿入箇所に配置されることで、第１コーディング要素と第２コーディング要素とが互いに相対的な所定位置を取る場合に、プラグコネクタは結合位置まで挿入箇所へ挿入方向に挿入される。
【背景技術】
【０００２】
コーディング式プラグ接続は、先行技術から周知である。このようなプラグ接続では、プラグコネクタに割り当てられた正しい挿入箇所にのみプラグコネクタが挿入されうることをコーディング機構が保証する。こうして、幾つかの挿入箇所が存在する場合に、これは、割り当てられていない挿入箇所へプラグコネクタが間違って挿嵌されて、結果的に電流または信号の伝送欠陥を招くことを防止する。
【０００３】
信号伝送ケーブルの束の個々のケーブルが関連のプラグソケットへ正しく結合されることを保証するため、信号伝送の分野では特に、コーディング式プラグ接続が知られている。しかしながら、コーディング式プラグ接続は、設置中の接続エラーを防止するため電流伝送用のコネクタにも使用される。
【０００４】
挿入箇所は、プラグコネクタと結合されるように設計された何らかのプラグコネクタ受容体を意味するものと理解されているため、挿入箇所を介してプラグコネクタから電流を流すことができる。挿入箇所の例は、固定プラグソケット、幾つかのプラグソケットを包含するプラグソケット配置、係合プラグ配置、ケーブル端などに配置される係合プラグコネクタを含む。
【０００５】
周知のコーディング機構において、プラグコネクタは、コーディングパターンの第１コーディング要素を有し、挿入箇所は、このコーディングパターンと適合する相補的なコーディングパターンの第２コーディング要素を有する。挿嵌パターンは、挿入箇所のくぼみおよび／または突部の相補的な空間配置と係合するように設計されているプラグコネクタの突部および／またはくぼみの所定の空間配置の形で設計される。
【０００６】
したがって、そのコーディングパターンのプラグコネクタは、挿入時にコーディングパターンが正確な位置で相補的なコーディングパターンに係合するようにプラグコネクタと挿入箇所とが互いに相対的に配置された場合に、相補的なコーディングパターンの係合プラグコネクタと挿入方向に結合される。
【０００７】
結合位置では、プラグコネクタおよび挿入箇所の接触要素は、電気接触状態にあり、プラグコネクタは、挿入箇所の軸端位置に配設される。
【０００８】
従来のコーディング式プラグ接続では、場合により、第１コーディング要素が第２コーディング要素に正確な位置で係合して挿嵌動作が上手く実行される前に、プラグコネクタおよび挿入箇所の異なる相対的な位置での挿嵌の数回の試みが設置者により行われる必要がある。例えば、ケーブル束を結合するために多数のプラグ接続が結合される必要がある際には、多数の挿嵌の試みが必要となることが多い。したがって、従来のプラグ接続の結合は、時間がかかり面倒である。
【発明の概要】
【発明が解決しようとする課題】
【０００９】
記載された問題を考慮すると、このような問題にもかかわらず間違った結合を確実に防止するコーディング式プラグ接続を提供することが、本発明の目的である。
【課題を解決するための手段】
【００１０】
この目的は、請求項１に記載のプラグ接続によって達成される。本発明のさらなる有利な発展例は、従属請求項に記載されている。請求項１３に記載のプラグ接続セットも提供される。
【００１１】
本発明によるプラグ接続では、第１コーディング要素は、挿入方向に平行に延びる回転軸の周りで回転可能となるようにプラグコネクタに適用される、および／または第２コーディング要素は、回転軸の周りで回転可能となるように挿入箇所に適用される。言い換えると、本発明の第一実施形態では、挿入方向に平行に延びる回転軸の周りで回転可能となるように第１コーディング要素のみがプラグコネクタに適用され、本発明の第二実施形態では、挿入方向に平行に延びる回転軸の周りで回転可能となるように第２コーディング要素のみが挿入箇所に適用され、本発明の特に好適な第三実施形態では、第１および第２コーディング要素がプラグコネクタに／挿入箇所に回転可能に適用される。
【００１２】
本発明は、従来のプラグ接続において、ケーブル設置者は、コーディングパターンが相補的なコーディングパターンに正しい位置で係合して挿嵌動作を可能にする前に、たいていプラグコネクタと挿入箇所との間で幾つかの相対的な回転位置を試さなければならないという知識に基づいている。しかしながら、挿入箇所全体の回転と、一般的にねじり剛性ケーブルが装着されるプラグコネクタの回転とは面倒であり、プラグコネクタの破損につながる。対照的に、本発明によるプラグ接続では、他のコーディング要素に対する正確な位置に配向されて挿嵌動作が可能となるように、第１および／または第２コーディング要素を回転させるだけで十分である。対照的に、ケーブルが装着されるプラグコネクタの本体の回転または挿入箇所全体の回転は、本発明によれば必要ではない。
【００１３】
回転可能な第１コーディング要素および／または回転可能な第２コーディング要素は、コーディングパターンがケーブル設置者により容易に認識可能、および／または回転を目的としてケーブル設置者にとってアクセス可能となるように、好ましくはプラグコネクタまたは挿入箇所に適用される。これは、一方では、挿入に先立つプラグコネクタと挿入箇所との間での所定の相対的な位置の調節を容易にし、他方では、幾つかのプラグコネクタが設けられる挿入箇所と関連するプラグコネクタの正しい選択を容易にする。特に、第１コーディング要素は、プラグコネクタの外部境界面を形成し、挿入に先立って何の問題もなく確認される、および／または、好ましくは径方向外向き方向に露出している。
【００１４】
プラグコネクタと挿入箇所との間の結合動作のさらなる簡易化を達成するため、本発明によるプラグ接続は、プラグコネクタを挿嵌する時に第１コーディング要素と第２コーディング要素とが互いに相対的な所定位置へ自動的に回転される自己整合機構を、有すると好都合であることを示す。二つのコーディング要素の間のこの自己整合は、挿入方向での挿入中に二つのコーディング要素の間に作用する相対的な力によって達成される。言い換えると、自己整合機構は、挿入方向に向けられた挿嵌力を、コーディング要素を周方向に整合させる回転力に変換する力−撓み機構を包含する。コーディングのため、自己整合機構を備える本発明によるプラグ接続は、コーディング要素の正しい配向が自動的に行われるので、互いに属していないプラグコネクタと挿入箇所によるペアの結合を防止するのと同時に、挿嵌の試みの失敗を回避する。
【００１５】
好ましくは、挿入方向に垂直な指向の断面におけるプラグコネクタおよび／または挿入箇所の輪郭は実質的に丸く、好ましくは実質的に回転対称であり、特にほぼ円形である。丸い輪郭を有する従来のコーディング式プラグ接続には、本発明による自己整合機構によって解消される、プラグコネクタと挿入箇所との間に外見が紛らわしい多数の相対的な回転位置があることによる特定の挿嵌問題が存在する。
【００１６】
本発明の好適な実施形態において、第１コーディング要素は、プラグコネクタの本体を囲繞して回転可能に本体に保持されるリング要素である。代替的または付加的に、第２コーディング要素は、リング要素の導入を許容するように挿入箇所に回転可能に保持されるスリーブ部分である。リング要素の外径は、従ってスリーブ部分の内径に好ましくは適合され、リング要素は、リング要素のコーディングパターンがスリーブ部分の相補的なコーディングパターンに径方向に係合した状態でスリーブ部分に導入される。
【００１７】
逆に、本発明の代替的実施形態では、第１コーディング要素は、プラグコネクタの本体に回転可能に保持されるスリーブ部分であり、第２コーディング要素は、スリーブ部分と適合する挿入箇所に回転可能に保持されるリング要素である。
【００１８】
リング要素は、必ずしも周方向に閉じたリングでなくてもよい。それは、横からプラグコネクタに嵌着またはクリップされるように、部分的なリングの形であるか分割されていてもよい。好ましくは、リング要素は、挿入方向には溝に固定されるが本体の周りの周方向には溝で回転されうるように、プラグコネクタの本体の周溝に保持される。リング要素の良好な固定を達成するのと同時に確実なコーディング機構を提供するため、溝の奥行は、リング要素の径方向のリング厚さと適合しており、リング要素に設けられるコーディングパターンは、溝から径方向に突出する。
【００１９】
本体に対するリング要素の良好な摺動特性を達成するため、リング要素は、プラスチック材料で製作され、溝は、アルミニウムなどの金属で製作される本体に形成されることが好都合である。特に、溝は、プラグコネクタの金属の外部導体部分に形成されるとよい。
【００２０】
代替的または付加的に、スリーブ部分は、プラスチック材料で製作される、および／または、金属で製作された挿入箇所のソケット部分に回転可能に装着される。自在軸受は、例えば環状溝に径方向で係合する環状突部により形成されるソケット部分とスリーブ部分との間に設けられる。
【００２１】
好適な実施形態では、リング要素は、好ましくは突部および／または溝による所定の空間配置の形であるコーディングパターンを備え、スリーブ部分は、好ましくはこのコーディングパターンのメス型の形であって突部および／または溝による相補的な空間配置を呈する相補的なコーディングパターンを備える。挿嵌動作中に、リング要素とスリーブ部分とが互いに対して所定の回転位置（または幾つかの可能な所定の回転位置の一つ）を取る時に、リング要素のコーディングパターンがスリーブ部分の相補的なコーディングパターンに径方向で係合する。
【００２２】
この目的のため、第１コーディングパターンが好ましくは幾つかの径方向外向きに突出する突部の形で設計され、および／または、第２コーディングパターンが好ましくは、各々が突部の導入を対象とした幾つかの案内溝の形で設計されることは、逆も同様に有利である。
【００２３】
突部は、好ましくは、リング要素のリング区分から径方向外向きに突出する。案内溝は、好ましくは、少なくともある区分でスリーブ部分の内壁において挿入方向に延び、リング要素の隣接した突部の間の距離は、スリーブ部分の隣接した案内溝の間の距離と適合する。
【００２４】
製造が簡易で確実なコーディング機構は、第１コーディングパターンと第２コーディングパターンとが二、三、または四放射相称などの多放射相称を有するという点で提供される。言い換えると、リング要素は、１８０°の角度で配置された二つの好ましくは同一形状の突部、１２０°の介在角度で各々が配置された三つの突部、９０°の介在角度で各々が配置された四つの突部などを有する。同じことが、スリーブ部分に形成される案内溝にも当てはめられる。ｎ放射相称のコーディング機構は、各々での挿嵌動作が可能であるｎ個の所定の相対的な位置という利点を提供する。この場合、所与の初期の回転位置から始めて、結合を許容する所定の相対的な位置に達するために、第１および第２コーディング要素の間の比較的小さな相対回転、すなわちせいぜい３６０°／２ｎの相対回転のみが必要であり、その結果、結合動作がさらに簡易化される。
【００２５】
本発明の特に好適な実施形態では、第１コーディング要素は、所定の角度で周方向に互いに間を開けた２個または３個以上の径方向に突出する突部を有するリング要素である。第２コーディング要素は、スリーブ部分の内壁に形成されてこの所定角度で周方向に互いに間を開けた２個または３個以上の案内溝を有するスリーブ部分である。
【００２６】
少なくとも一つの案内溝の幅が少なくとも区分で挿入方向に減少するという、確実に機能する自己整合機構が提供される。この場合、挿入時に案内溝の広い入口区分に係合する突部は、挿嵌動作がさらに進行する間に、狭くなる溝壁によって狭い溝区分へ案内され、コーディング要素は、互いに対して正しく整合されて、プラグコネクタは挿入箇所に結合位置まで導入される。
【００２７】
自己整合機構は、少なくとも一つの案内溝―好ましくはすべての案内溝―が、挿入方向に狭くなる溝幅を有する入口区分と、挿入方向に入口区分から続いて実質的に一定の溝幅を有する案内区分とを有するようにさらに改良される。案内区分では、溝幅は好ましくは関連する突部の幅と実質的に適合し、突部が案内区分に配置されると、二つのコーディング要素は、実質的に回転不能に互いに接続され、コーディングパターンと相補的なコーディングパターンとは互いに係合する。
【００２８】
好ましくは、周方向での突部の幅は、０．５ｍｍと１０ｍｍの間、特に１ｍｍと３ｍｍの間である。また、周方向での案内溝の案内区分の幅は、好ましくは１ｍｍと１１ｍｍの間、特に１．５ｍｍと４ｍｍの間であり、突部は、わずかな程度のあそびを伴って案内区分に嵌着する。
【００２９】
案内溝の入口区分の軸長は、好ましくは１ｍｍより大きくかつ２０ｍｍより小さく、特に好ましくは３ｍｍと１０ｍｍの間である。実質的に一定の溝幅を有する案内溝の案内区分の軸長は、好ましくは１０ｍｍより大きくかつ５０ｍｍより小さく、特に好ましくは２０ｍｍと３０ｍｍの間である。
【００３０】
自己整合機構の誤作動は、ｎ（ｎ＞１）個の案内溝がスリーブ部分に形成されることにより防止され、狭くなる入口区分の幅広の前端での案内溝は、約３６０％の円周角範囲をカバーするため、隣接の案内溝の溝壁は、互いに直接隣接するか、前端で互いに合流する。この場合、挿入中において、初期回転位置に関係なく、突部は、狭くなる溝壁と当接し、溝壁に沿って摺動するとともにコーディング要素の間の相対的な回転を導く。特に、案内溝は、入口区分の両側で、案内溝のそれぞれの案内区分の方向に対称状態で狭くなる。
【００３１】
好ましくは、第２コーディング要素は、それぞれが周方向の方向成分と挿入方向の方向成分とを有する一つ以上の接触面を有し、プラグコネクタを挿嵌する際において、第１コーディング要素は、第１および第２コーディング要素の間の相対的な回転に付随して、接触面と接触してこれに沿って摺動する。特に、各接触面は、実質的に螺旋の状態で一回転の一部にわたって延在する。
【００３２】
特に好適な実施形態では、これらの接触面は、入口区分において案内溝の側壁により形成される。
【００３３】
特に好適な実施形態において、挿入箇所は、プラグソケットの形で設計される。したがって、挿入箇所は、ソケット部分に圧入するための圧入リングと、圧入リングに回転可能に装着されてプラグコネクタの方向にスリーブ形の状態で突出する第２コーディング要素とを有する。圧入リングは、圧力の印加を通してやはりスリーブ形のソケット部分へ圧入され、この目的のために好ましくは、圧入された時に摩擦ロックを向上させるナール面を備える。圧入された後で、圧入リングは、ソケット部分の固定位置に保持され、コーディング要素は、圧入リングとソケット部とから成る配置に対して回転可能に保持されている。好ましくは、ソケット部分は、第２コーディング要素がソケット部分の内部に完全に収容されることを許容する軸方向寸法を有する。
【００３４】
プラグコネクタは、高電流の伝送のため、または代替的に信号の伝送のために設計される。高電流プラグコネクタの場合に、これは、好ましくは遮蔽された高電流ケーブルに接続される。プラグコネクタは、ケーブルの内部導体と接続されるか、好ましくはこれに圧着される少なくとも一つの内部導体接点と、内部導体接点を少なくとも区分で囲繞してケーブルの外部導体と一緒に押圧される外部導体とを有する。好適な実施形態において、第１コーディング要素は、外部導体の外部境界面に配置される。
【００３５】
好ましくは、プラグ接続は、分離不能なプラグ接続として設計される。“分離不能な”プラグ接続は、単純な挿嵌動作による手動結合が可能であるのに対して、その後の分断はもう可能でないか、工具の補助によってのみ可能であることを意味するものと理解される。この目的のため、プラグ接続は、結合位置に達する前または達する際に解除不能に係合状態に止めるスナップロックまたは係止ロック要素を備える。コーディング機構は、間違って結合されたプラグ接続はもう容易には分断されないので、分離不能なプラグ接続の場合に特に重要である。
【００３６】
この目的のため、プラグコネクタは、好ましくは一つ以上のスナップロック突部を備え、挿入箇所は、スナップロック突部の係合のための周方向のスナップロック溝を備える。スナップロック突部は、プラグコネクタを囲繞するスナップロックリングに設けられ、スナップロック溝は、挿入箇所のソケット部分の内壁に形成される。
【００３７】
さらなる態様によれば、本発明は、挿入箇所に挿嵌されるように設計された本発明によるプラグ接続のプラグコネクタに関する。本発明によるプラグコネクタは、コーディングパターンが配置された第１コーディング要素を有し、コーディング要素は、挿入方向に平行に延びる回転軸の周りで回転可能となるようにプラグコネクタに保持される。本発明によるプラグコネクタは、繰り返されなくともここに記載された特徴のすべてを個別または組み合わせで呈する。
【００３８】
さらなる態様によれば、本発明は、プラグコネクタの挿入のために設計された本発明によるプラグ接続の挿入箇所に関する。本発明による挿入箇所は、関連するプラグコネクタのコーディングパターンに相補的であるコーディングパターンが配置された第２コーディング要素を有し、第２コーディング要素は、挿入方向に平行に延びる回転軸の周りで回転可能となるように挿入箇所に保持される。本発明による挿入箇所も、繰り返されなくともここに記載される特徴のすべてを個別または組み合わせで呈する。
【００３９】
さらなる態様によれば、本発明は、本発明によるプラグ接続のセットに関する。“セット”は、本発明による２個、３個、または４個以上のプラグ接続を意味するものと理解される。セットの第１および第２プラグ接続のコーディングパターンおよび相補的なコーディングパターンは、第１プラグ接続のプラグコネクタが第１プラグ接続の挿入箇所へ結合位置まで挿嵌されるが、第２プラグ接続の挿入箇所へは挿嵌されないように、それぞれ互いに異なっている。
【００４０】
好ましくは、プラグ接続は、本発明による３個以上のプラグ接続を包含し、そのプラグコネクタはそれぞれ、ただ一つの関連する挿入箇所のみに結合位置まで挿嵌される。
【００４１】
ゆえに本発明によるセットは、コーディング機構が設けられているためそれぞれ正しい状態でのみ結合されるプラグコネクタと関連する挿入箇所の幾つかのペアを含む。第１プラグ接続のプラグコネクタと第２プラグ接続の挿入箇所との間違った結合は、コーディングパターンによって防止されうる。同時に、コーディングパターンを有するコーディング要素は回転可能であるため、簡易な結合が可能であり、所定の相対的な位置に配置するために、プラグコネクタ全体または挿入箇所全体は、回転される必要がない。加えて個々のプラグ接続が自己整合機構をそれぞれ備えている場合には、プラグ接続のプラグコネクタをこのプラグ接続の挿入箇所へ挿嵌する際に第１コーディング要素と第２コーディング要素とが互いに対する所定の位置へ自動的に回転されるので、特に簡易な結合が可能である。さらに、自己整合が行われず、そのため結合位置までの挿入が可能でない場合、プラグコネクタと挿入箇所とが同じプラグ接続に属していないことは、最初の挿嵌の試みで、設置者にとってすぐに明白となる。
【００４２】
本発明によるプラグ接続のセットは、例えば電気モータの三相交流電流のＵ相、Ｖ相、Ｗ相の伝送のための三つのプラグコネクタと、このプラグコネクタに割り当てられる三つの挿入箇所とから成る。この場合、正しい結合が特に重要である。
以下の記載では、同封の図面を参照して発明が説明される。
【図面の簡単な説明】
【００４３】
【図１】結合前の本発明によるプラグ接続の実施形態の、部分的に断面図の形の側面図である。
【図２】図１に示されたプラグ接続のプラグコネクタの斜視図である。
【図３】図１に示されたプラグ接続の挿入箇所の斜視図である。
【図４】図３に示された挿入箇所の側面図である。
【発明を実施するための形態】
【００４４】
プラグコネクタ１０と挿入箇所５０とから成る本発明によるプラグ接続１００は、図１に図示される。
【００４５】
プラグコネクタは、図２に特に明瞭に図示される。プラグコネクタ１０は、例えば５０Ａ、１００Ａ、またはそれ以上の高電流の伝送のための内部導体接点２２を備える高電流プラグコネクタである。プラグコネクタ１０は、遮蔽された高電流ケーブル２０のケーブル端に装着される。通常はワイヤ編組体である高電流ケーブル２０の遮蔽体は、プラグコネクタ１０の外部導体２４との電気接触を行う。プラグコネクタの内部導体接点２２と外部導体２４との間に、絶縁部品２３が配置される。
【００４６】
他の実施形態では、プラグコネクタは、外部導体接点を有しない、および／または、信号の伝送のために構成されている。プラグコネクタは、一つ以上の内部導体接点、例えば一つ以上の差動接点ペアを有してもよい。
【００４７】
プラグコネクタ１０は、プラグコネクタの本体１１を囲繞するリング要素１３の形で第１コーディング要素１２を有する。この目的のために、リング要素は、プラグコネクタの本体１１―この場合にはプラグコネクタの外部導体２４―に形成された周溝に配置される。リング要素１３は、分割プラスチックリングであり、一方では横から本体１１に嵌着でき、他方では溝で容易に摺動できる。
【００４８】
リング要素１３は、軸線方向にプラグコネクタ１０の中心に延びる回転軸Ａの周りで回転可能となるようにプラグコネクタ１０に配置される。
【００４９】
リング要素１３は、幾つかの径方向外向きに突出する突部１４を有し、これによってコーディングパターンが形成される。突部は、溝から突出し、挿入箇所５０への挿入時に、案内溝により形成される相補的なコーディングパターンとの係合状態となる。
【００５０】
示された例において、リング要素１３は、隣接の突部１４に対して９０°の角度で各々が突出する合計４個の突部１４を有する。したがって、コーディングパターンは、四放射相称を呈する。他の実施形態では、放射相称状態でリング要素から突出する２個、３個、または４個以上の突部がリング要素に設けられる。他のコーディングパターンの他の実施形態では、突部は、放射相称状態でリング要素から突出せず、隣接の突部の間の角度すべてが等しくない。突部は、周方向に必ずしも等しい幅でもない。当業者には、多数の異なるコーディングパターンがこのようにしてリング要素１３に設けられることが容易に理解される。
【００５１】
図３には、挿入箇所５０が特に明瞭に図示される。挿入箇所は、実質的にはソケットの形または中空円筒体の形であり、結合位置までの挿入方向Ｓでのプラグコネクタ１０の挿入のために構成される。結合位置では、プラグコネクタ１０の内部導体接点２２は、挿入箇所５０の係合接点（不図示）と電気接触する。
【００５２】
図示された挿入箇所５０は、ソケット部分５３（図１参照）に圧入される圧入リング５１を有する。この圧入接続の摩擦ロックを強めるため、圧入リングまたはソケット部分の区分は、区分でナール状である。スリーブ部分５５は、回転軸Ａの周りで圧入リング５１およびソケット部分５３に対してスリーブ部分５５が回転するように、圧入リング５１に保持される。スリーブ部分５５は、プラスチックから成り、圧入リングおよびソケット部分は、金属、例えばアルミニウムで製作される。
【００５３】
スリーブ部分５５は、挿入箇所５０に回転可能に配置されるコーディングパターンに対して相補的なコーディングパターンを有する第２コーディング要素５２を形成する。この目的のため、圧入リング５１とスリーブ部分５５との間に回転機構が設けられる。
【００５４】
図３は、斜視図において、ソケット部分５３を含まない圧入リング５１とスリーブ部分５５とから成る配置を示している。
【００５５】
他の実施形態において、挿入箇所５０は、図に示される構造と異なる構造を有することができる。しかしながら、重要な特徴は、プラグコネクタ１０の挿嵌時に二つのコーディング要素の係合を可能にするとともに、不適合なコーディングパターンのプラグコネクタの挿入を防止する、プラグコネクタのコーディングパターンに対して相補的なコーディングパターンを有するコーディング要素５２である。
【００５６】
示された実施形態において、第２コーディング要素５２は挿入箇所５０に回転可能に保持され、第１コーディング要素１２もプラグコネクタ１０に回転可能に保持される。他の実施形態では、第１コーディング要素のみか第２コーディング要素のみが回転可能でもよい。
【００５７】
第２コーディング要素５２に形成される相補的コーディングパターンは、図３に特に明瞭に図示される。スリーブ部分の内壁５６は、挿入方向Ｓに延びてプラグコネクタ１０の突部１４の係合のためにそれぞれ構成されている幾つかの案内溝５４を有する。
【００５８】
案内溝５４の数およびその間の距離は、突部１４の数およびその間の距離に対応し、各突部１４は、スリーブ部分５５へのプラグコネクタ１０の挿入時に案内溝５４で径方向に係合できる。
【００５９】
各案内溝５４は二つの区分：溝の幅Ｂが徐々に狭くなり挿入時にプラグコネクタ１０に対向する入口区分６２と、案内溝の幅は実質的に一定であって関連する突部１４の幅と適合し挿入方向Ｓに入口区分６２から続く案内区分６４とを有する。
【００６０】
合計で４個またはｎ個の案内溝５４が設けられる場合には、入口区分６２の前端での各案内溝５４の幅Ｂは、９０°の周方向の角度範囲または３６０°／ｎの角度範囲に対応し、第１コーディング要素１２と第２コーディング要素５２との間の初期の相対的な位置に関係なく、突部１４がそれぞれ案内溝５４の一つに進入することが保証される。言い換えると、スリーブ部分の前端のすべての案内溝は、３６０°の角度範囲をカバーし、それぞれの案内区分６４の方向で好ましくは対称的に両側で狭くなる。
【００６１】
案内溝５４のこの構成は、プラグコネクタが挿入箇所へ挿嵌される時に、第１コーディング要素と第２コーディング要素とが互いに相対的な所定の位置へ自動的に回転されることを保証する自己整合機構を提供する。
【００６２】
これは、プラグコネクタ１０が挿嵌される時に、突部１４が接触面６８を形成する狭い溝壁と接触することで、挿入方向Ｓに向いた挿入力が二つのコーディング要素１２，５２の間の回転力に変換されるためである。
【００６３】
図２は、本発明によるプラグコネクタ１０を斜視図で示す。
【００６４】
プラグコネクタ１０は、挿入箇所５０との分離不能な接続のために構成されており、この目的のために、挿入箇所のスナップロック凹部８４に係合するように設計されたスナップロック突部８２を備えるリング形つめ要素８０を有する。こうしてプラグコネクタ１０は、工具のみにより結合位置から解除される。
【００６５】
図３および４は、本発明による挿入箇所５０を斜視図とともに側面図で示す。
【００６６】
本発明はまた、それぞれ異なるコーディングパターンと相補的なコーディングパターンとの本発明によるプラグ接続のセットを含み、各プラグコネクタは、割り当てられた挿入箇所のみに挿嵌可能であり、間違った挿嵌接続が起こらない。
【００６７】
本発明は、図面に図示された実施形態に限定されない。説明部分と請求項に提示される特徴は、異なる手法で互いに組み合わされてもよい。
【図１】
0006571794.tif 000002
【図２】
0006571794.tif 000003
【図３】
0006571794.tif 000004
【図４】
0006571794.tif 000005